(57)【要約】【課題】  本考案は、従来、室内でスリッパを履いて生活する場合、用途によって、別のスリッパや別の履き物に履き替えていた面倒な作業をすることなく、スリッパを履いたままで本履き物を履くことにより、様々な用途に使用できる履き物を可能にする。又、高齢者や体の具合の悪い人が、用途によって履き物を履き替える為に体に負担をかける諸動作をなくすことで生活支援に役立つことができる。【解決手段】  本考案は、スリッパを受け入れることのできる適宜な大きさを持つ底板３に、スリッパを挿入できる適宜な大きさの足甲受け１と場合により足甲受け２を装着させることにより、別の履き物に履き替えることをしないで、スリッパを履いたままで、本履き物を容易に履くことを可能にした。【選択図】  図１
0003114262.tif 000002
【実用新案登録請求の範囲】
【請求項１】
スリッパを乗せることができるだけの適宜な大きさを持つ底板３に、スリッパを挿入できる適宜な大きさの足甲受け１又は１と２を装着させた、スリッパを履いたままでも履いて歩行できる履き物。
【請求項２】
前記スリッパが靴である場合の請求項１の履き物。
【請求項３】
請求項１、２をＥＶＡやゴム等軽くて履きやすい適宜素材で作った履き物。
【考案の詳細な説明】
【技術分野】
【０００１】  本考案は、スリッパを履いたままでも履いて歩行できる、履き物である。
【背景技術】
【０００２】  従来スリッパは、室内履き用、トイレ用等と使い分け、使用する場所や用途によりスリッパを履き替えていた。又、タタキから玄関の戸口に行く場合や、ベランダに出る場合は外履き用サンダルに履き替えていた。こういう動作や作業は面倒で、急ぐ場合は煩わしく、特に高齢者や体の具合の悪い人等の場合、別の履き物に履き替えることが難しい場合があった。
【考案の開示】
【考案が解決しようとする課題】
【０００３】  日常生活の便利さや福祉的観点から考えると、一つのスリッパを履いたら、そのスリッパを履き替えずに、同じスリッパを履いたままで、トイレに行ったり、容易に外に出られる履き物があれば便利であり、特に、別の履き物に履き替えるために発生する高齢者や体の具合の悪い人の体への負担を軽減し、行動範囲を広げる等生活利便の向上に役立つことができる。従って、スリッパを履いたままでも容易に履ける履き物を実現することで、前述の欠点を解決しようとするものである。
【課題を解決するための手段】
【０００４】  本考案は、スリッパを受け入れることのできる適宜な大きさを持つ底板３に、スリッパを挿入できる適宜な大きさの足甲受け１と場合により足甲受け２を装着させることで、別の履き物に履き替えることをしないで、スリッパを履いたままで、本履き物を履いて、ベランダや玄関のタタキを歩行したり、トイレで用を足したり、その他様々な用途で役に立つことができる。上述の様に本履き物は、前述の別の履き物に履き替えなければならないという欠点を解決している。
【考案の効果】
【０００５】  上述の様に、本考案のスリッパを履いたままでも履ける履き物は、別のスリッパやサンダル等に履き替えずに、同じスリッパを履いたまま、トイレに行ったり、外に出ることができることで、高齢者や体の具合の悪い人の生活利便の向上に役立つことができる。又、本履き物は大きさを変えると、靴を履いたままで、室内を汚すことなく、室内を歩ける履き物としても役立つことができ、その他にも多目的に生活を便利にすることができる。又、本履き物は、スリッパを装着しないで履くことも可能である。
【考案を実施するための最良の形態】
【０００６】  スリッパを乗せることができるだけの適宜な大きさを持つ底板３に、スリッパを挿入できる適宜な大きさの足甲受け１と場合により足甲受け２を装着させた履き物の形態。
【実施例】
【０００７】  以下、添付図面に従って一実施例を説明する。スリッパを乗せることができるだけの適宜な大きさを持つ底板３に、滑り止めの凸凹を持つ底板４を底板３に接着させ、スリッパを挿入できる適宜な大きさの足甲受け１、２を装着させる。底板３の表面の先頭部分、又は、後部の適宜な位置に適宜の大きさのスリッパの滑り止め５、６を装着させる。【０００８】  適宜素材で作ったベルト状の足甲受け１、２の一部に、マジックテープを装着させ、足甲受けの大きさを調節可能にする。【０００９】  スリッパを履いたまま、足甲受け１、２にスリッパを挿入すると、スリッパを履いたままで本履き物を履くことができ、室内やベランダや、玄関のタタキやトイレ内等を歩行することができる。【００１０】  本考案の一実施例は上述の如き構成からなるものであるから、別の履き物に履き替えることなく、スリッパを履いたままでも、速やかに、容易に本履き物を履くことで、様々な用途に使われることを可能にした。
【図面の簡単な説明】
【００１１】
【図１】スリッパを履いたままでも履ける履き物を使用した側面図
【図２】スリッパを履いたままでも履ける履き物の側面図
【図３】スリッパを履いたままでも履ける履き物の上面図
【符号の説明】
【００１２】  １  足甲受け
２  足甲受け
３  底板
４  滑り止めの凸凹を持つ底板
５  スリッパの滑り止め装着部
６  スリッパの滑り止め装着部
７  スリッパ
【図１】
0003114262.tif 000003
【図２】
0003114262.tif 000004
【図３】
0003114262.tif 000005
【手続補正書】
【提出日】平成17年2月28日(2005.2.28)
【手続補正１】
【補正対象書類名】実用新案登録請求の範囲
【補正対象項目名】請求項１
【補正方法】変更
【補正の内容】
【請求項１】
爪先（先端）から踵（後端）までが従来のスリッパとほぼ同じ長さを持ち、且つ従来のスリッパの幅より少し大きい幅を持つ底板３に、従来のスリッパの足甲受けを内包できる内径を持つ足甲受け１又は１と２を、挿入したスリッパの足甲受けとほぼ同位置に装着させた、スリッパを履いたままでも履いて歩行できる履き物。
【手続補正２】
【補正対象書類名】実用新案登録請求の範囲
【補正対象項目名】請求項３
【補正方法】変更
【補正の内容】
【請求項３】
請求項１、２を発泡性樹脂やゴム等軽くて履きやすい適宜素材で作った履き物。
【手続補正３】
【補正対象書類名】明細書
【補正対象項目名】０００４
【補正方法】変更
【補正の内容】
【０００４】  本考案は、爪先（先端）から踵（後端）までが従来のスリッパとほぼ同じ長さを持ち、且つ従来のスリッパの幅より少し大きい幅を持つ底板３に、従来のスリッパの足甲受けを内包できる内径を持つ足甲受け１と場合により足甲受け２を、挿入したスリッパの足甲受けとほぼ同位置に装着させることで、別の履き物に履き替えることをしないで、スリッパを履いたままで、本履き物を履いて、ベランダや玄関のタタキを歩行したり、トイレで用を足したり、その他様々な用途で役に立つことができる。上述の様に本履き物は、前述の別の履き物に履き替えなければならないという欠点を解決している。
【手続補正４】
【補正対象書類名】明細書
【補正対象項目名】０００６
【補正方法】変更
【補正の内容】
【０００６】爪先（先端）から踵（後端）までが従来のスリッパとほぼ同じ長さを持ち、且つ従来のスリッパの幅より少し大きい幅を持つ底板３に、従来のスリッパの足甲受けを内包できる内径を持つ足甲受け１と場合により足甲受け２を、挿入したスリッパの足甲受けとほぼ同位置に装着させた履き物の形態。
【手続補正５】
【補正対象書類名】明細書
【補正対象項目名】０００７
【補正方法】変更
【補正の内容】
【０００７】  以下、添付図面に従って一実施例を説明する。爪先（先端）から踵（後端）までが従来のスリッパとほぼ同じ長さを持ち、且つ従来のスリッパの幅より少し大きい幅を持つ底板３に、滑り止めの凸凹を持つ底板４を底板３に接着させ、従来のスリッパの足甲受けを内包できる内径を持つ足甲受け１、２を、挿入したスリッパの足甲受けとほぼ同位置に装着させる。底板３の表面の先頭部分、又は、後部の適宜な位置に適宜の大きさのスリッパの滑り止め５、６を装着させる。
【手続補正６】
【補正対象書類名】明細書
【補正対象項目名】０００８
【補正方法】変更
【補正の内容】
【０００８】  適宜素材で作ったベルト状の足甲受け１、２の一部に、面ファスナーを装着させ、足甲受けの大きさを調節可能にする。
【手続補正７】
【補正対象書類名】明細書
【補正対象項目名】００１１
【補正方法】変更
【補正の内容】
【００１１】
【図１】スリッパを履いたままでも履ける履き物を使用した側面図
【図２】スリッパを履いたままでも履ける履き物の側面図
【図３】スリッパを履いたままでも履ける履き物の上面図
【図４】スリッパを履いたままでも履ける履き物の斜視図
【手続補正８】
【補正対象書類名】図面
【補正対象項目名】全図
【補正方法】変更
【補正の内容】
【図１】
0003114262.tif 000006
【図２】
0003114262.tif 000007
【図３】
0003114262.tif 000008
【図４】
0003114262.tif 000009
【手続補正書】
【提出日】平成17年6月15日(2005.6.15)
【手続補正１】
【補正対象書類名】実用新案登録請求の範囲
【補正対象項目名】全文
【補正方法】変更
【補正の内容】
【実用新案登録請求の範囲】
【請求項１】
爪先（先端）から踵（後端）までがスリッパとほぼ同じ長さを持ち、且つスリッパの幅より少し大きい幅を持つ底板３に、スリッパの足甲受けを内包できる内径を持つ足甲受け１又は１と２を、挿入したスリッパの足甲受けとほぼ同位置に装着させた、スリッパを履いたままでも履いて歩行できる履き物。
【請求項２】
前記スリッパが靴である場合の請求項１の履き物。
【請求項３】
請求項１、２をエチレン−酢酸ビニル共重合樹脂やゴム等軽くて履きやすい適宜素材で作った履き物。